(57)【要約】【課題】ボウル部におけるオーバーフロー口の外側の意匠性を向上させつつ、簡素な構成でコンパクトに設置可能な洗面器を提供すること。【解決手段】洗面器は、ボウル部２と、ボウル部２の底面に形成された排水口２１と、ボウル部２の奥面に形成されたオーバーフロー口３１と、一端側がオーバーフロー口３１に接続され下方に延びるオーバーフロー排水路と、ボウル部２の奥面から奥側に突出して形成され、オーバーフロー排水路を覆うオーバーフローカバー部３３と、を備える洗面器１であって、オーバーフローカバー部３３は、洗面器１の使用者がボウル部２の手前側に立った場合に該使用者から視認しにくいように下り傾斜したオーバーフロー上面部３３１を有する。【選択図】図２
2019052422.tif 000002
【特許請求の範囲】
【請求項１】
ボウル部と、
ボウル部の底面に形成された排水口と、
ボウル部の奥面に形成されたオーバーフロー口と、
一端側がオーバーフロー口に接続され下方に延びるオーバーフロー排水路と、
前記ボウル部の奥面から奥側に突出して形成され、前記オーバーフロー排水路を覆うオーバーフローカバー部と、を備える洗面器であって、
前記オーバーフローカバー部は、洗面器の使用者が前記ボウル部の手前側に立った場合に該使用者から視認しにくいように下り傾斜したオーバーフロー上面部を有する洗面器。
【請求項２】
前記オーバーフロー上面部は、水平面に対して４５度以上の角度で傾斜する請求項１に記載の洗面器。
【請求項３】
前記オーバーフローカバー部は、
前記オーバーフロー上面部の下端部に配置され、該下端部から水平方向に延出するリブ部と、
前記リブ部の下部に配置されて下方に延びるオーバーフロー側面部と、を備える請求項１又は２に記載の洗面器。
【請求項４】
前記リブ部の下面にカウンターが配置され、該リブ部よりも上側がカウンターから突出するベッセル式洗面器として用いられる請求項３に記載の洗面器。
【請求項５】
前記リブ部は、前記ボウル部の底面よりも高い位置に位置する請求項４に記載の洗面器。
【請求項６】
前記オーバーフロー排水路は、１分間に１０リットル以上の水を排水可能である請求項１〜５のいずれかに記載の洗面器。
【請求項７】
プレス成形により一体成形される請求項１〜６のいずれかに記載の洗面器。
【発明の詳細な説明】
【技術分野】
【０００１】
本発明は、洗面器に関し、詳細には、オーバーフロー口を有する洗面器に関する。
【背景技術】
【０００２】
従来、洗面器等におけるボウル部の上部には、貯留した水が溢れ出ることを防止するために、オーバーフロー口が設けられている。オーバーフロー口は、ボウル部の外側に配置されるオーバーフロー排水管に、例えばエルボ管等により接続される。ボウル部の底面には、排水口が設けられており、排水口から連続する排水管に、オーバーフロー口から延出するオーバーフロー排水管が接続されることで、洗面器の排水が行われるようになっている（例えば、特許文献１参照）。
【０００３】
排水管は洗面器の外側に取り付けられるため、外観上目立たなくしたいという要請がある。そこで、ボウル部と中空構造のオーバーフロー排水管を別体で構成し、これらを連結する金具とともにインサート成形する技術が提案されている（例えば、特許文献２参照）。
【先行技術文献】
【特許文献】
【０００４】
【特許文献１】特開２０１６−１９９８４７号公報
【特許文献２】特開２００９−２０９６６５号公報
【発明の概要】
【発明が解決しようとする課題】
【０００５】
近年、洗面器の周囲のデザイン性を向上させるために、カウンター等の設置面から、ボウル部の上端が突出するように洗面器を設置する場合がある。この場合、オーバーフロー排水管の構造が洗面器の使用者から視認されると、意匠性が損なわれる。
【０００６】
ボウル部におけるオーバーフロー口の外側の意匠性を向上させつつ、簡素な構成でコンパクトに設置可能な洗面器が求められている。
【課題を解決するための手段】
【０００７】
本発明は、ボウル部と、ボウル部の底面に形成された排水口と、ボウル部の奥面に形成されたオーバーフロー口と、一端側がオーバーフロー口に接続され下方に延びるオーバーフロー排水路と、前記ボウル部の奥面から奥側に突出して形成され、前記オーバーフロー排水路を覆うオーバーフローカバー部と、を備える洗面器であって、前記オーバーフローカバー部は、洗面器の使用者が前記ボウル部の手前側に立った場合に該使用者から視認しにくいように下り傾斜したオーバーフロー上面部を有する洗面器に関する。
【０００８】
また、前記オーバーフロー上面部は、水平面に対して４５度以上の角度で傾斜することが好ましい。
【０００９】
また、前記オーバーフローカバー部は、前記オーバーフロー上面部の下端部に配置され、該下端部から水平方向に延出するリブ部と、前記リブ部の下部に配置されて下方に延びるオーバーフロー側面部と、を備えることが好ましい。
【００１０】
前記リブ部の下面にカウンターが配置され、該リブ部よりも上側がカウンターから突出するベッセル式洗面器として用いられることが好ましい。
【００１１】
前記リブ部は、前記ボウル部の底面よりも高い位置に位置することが好ましい。
【００１２】
前記オーバーフロー排水路は、１分間に１０リットル以上の水を排水可能であることが好ましい。
【００１３】
プレス成形により一体成形されることが好ましい。
【発明の効果】
【００１４】
本発明によれば、ボウル部におけるオーバーフロー口の外側の意匠性を向上させつつ、簡素な構成でコンパクトに設置可能な洗面器を提供することができる。
【図面の簡単な説明】
【００１５】
【図１】本実施形態の洗面器を示す正面斜視図である。
【図２】本実施形態の洗面器を示す背面斜視図である。
【図３】本実施形態の洗面器の平面図である。
【図４】本実施形態の洗面器の側面図である。
【図５】本実施形態の洗面器の背面図である。
【図６】本実施形態の洗面器のオーバーフロー接続部を示し、（ａ）図は平面図、（ｂ）図は側面図である。
【図７】本実施形態の洗面器の使用の状態を示す模式図である。
【発明を実施するための形態】
【００１６】
以下、本発明の実施形態について図面を参照しながら説明する。
図１は、本実施形態の洗面器１を示す正面斜視図であり、図２は、背面斜視図である。図３は、洗面器１の平面図である。洗面器１は、ボウル部２と、オーバーフロー部３と、を有する。図１に示すように、本実施形態の洗面器１は、カウンターとしてのカウンター１００の上に設置され、ボウル部２の一部がカウンター１００からより上に位置し、ボウル部２の外側面の一部が突出するいわゆるハーフベッセル型の洗面器である。
【００１７】
ボウル部２は、水を貯留したり、蛇口（図示省略）から吐水された水を受けたりする凹部を有する容器である。ボウル部２は、図３に示すように、平面視で角が丸い略長方形状で、側面視で上方から下方内側に向かって緩やかにカーブする浅い皿のような形状を有する。ボウル部２は、排水口２１と、排水管接続部２４（図２参照）と、内側面部２２と、外側面部２３と、を有する。
【００１８】
図４は、洗面器１の側面図である。図４に示すように、排水口２１は、ボウル部２の底面に形成され、ボウル部２の最も下方に位置する貫通孔である。
【００１９】
排水管接続部２４は、排水口２１から下方に延びる管状部である。排水管接続部２４は、排水口２１と排水管２５とを接続する部分である。
【００２０】
内側面部２２は、排水口２１からボウル部２の上端の周縁に向かって延びるボウル部２の内側の側面である。
【００２１】
外側面部２３は、ボウル部２の上端から下方に延出する外側の側面である。外側面部２３は、第１外側面部２３１と、第２外側面部２３２とを有する。第１外側面部２３１は、ボウル部２の上端から所定長さ下方に延出し、ボウル部２の周縁に沿う帯状の部分である。図１及び図４に示すように、本実施形態では、第１外側面部２３１は、設置状態でカウンター１００の上に突出する部分である。第２外側面部２３２は、第１外側面部２３１の下端から排水口２１まで延びる曲面であり、設置状態でカウンター１００の下に配置される。
【００２２】
オーバーフロー部３は、ボウル部２の奥面側の上部に配置され、ボウル部２に湯水を貯水した場合に、ボウル部２から湯水が溢れて零れ落ちることを防止するボウル部２上部の排水構造である。オーバーフロー部３は、オーバーフロー口３１と、オーバーフロー排水路の一部を構成するオーバーフロー排水管３２と、オーバーフローカバー部３３と、オーバーフローカバー接続部３４と、を有する。
なお、本明細書におけるボウル部２の奥面とは、使用者が洗面器１の前に位置したときにボウル部２を間に挟んで使用者に対向する面を言う。
【００２３】
図５は洗面器１の背面図である。図１及び図５に示すように、オーバーフロー口３１は、ボウル部２の奥面側で上端部から所定距離下方に離間した位置に形成される貫通孔である。オーバーフロー口３１は、ボウル部２の長手方向に沿う横長の長孔である。
【００２４】
オーバーフローカバー部３３は、オーバーフロー口３１の背面側を覆うカバーである。オーバーフローカバー部３３は、ボウル部２と一体でボウル部２から連続して形成されている。オーバーフローカバー部３３は、ボウル部２の奥面から奥側に突出する。オーバーフローカバー部３３は、ボウル部２の外側面部２３から膨出するように、ボウル部２の奥面の裏側で、ボウル部２の長手方向の略中央部に形成される。オーバーフローカバー部３３は、オーバーフロー上面部３３１と、リブ部３３２と、オーバーフロー側面部３３３と、を有する。
【００２５】
オーバーフロー上面部３３１は、図４に示すように、ボウル部２の上端から、下方に向かうにしたがってボウル部２の第１外側面部２３１から離間する方向へ突き出るように形成されている。オーバーフロー上面部３３１は、洗面器の使用者がボウル部２の手前側に立った場合に、使用者から視認しにくいように下り傾斜している。「使用者から視認しにくいような下り傾斜」とは、例えば、ボウル部２の上端部の高さｈ１が８００〜８５０ｍｍの位置に配置され、ボウル部２の奥行Ｄが３００ｍｍ〜３５０ｍｍの場合で、洗面台の手間に立った使用者（目線の高さｈ２が１５０ｃｍ〜１７０ｃｍ）から視認しにくい傾斜角度である（図７参照）。オーバーフロー上面部３３１の傾斜角度は、例えば、ボウル部２の上端に沿う水平面Ｈに対して、水平面Ｈとオーバーフロー上面部３３１との成す角度θが４５度以上、好ましくは４５度以上７０度以下程度で傾斜する。
【００２６】
オーバーフロー上面部３３１は、図２及び図５に示すように、背面から見た場合、オーバーフロー上面部３３１の上端から下端に向かって末広がりに傾斜している。オーバーフロー上面部３３１は、幅がオーバーフロー口３１よりも大きく、ボウル部２の第１外側面部２３１におけるオーバーフロー口３１周囲を囲っている。オーバーフロー上面部３３１と第１外側面部２３１の間は、中空である。
【００２７】
リブ部３３２は、オーバーフロー上面部３３１の下端部に配置され、オーバーフロー上面部３３１の下端部から水平方向に延出する。リブ部３３２は、図５に示すように、ボウル部２の外側面部２３における第１外側面部２３１と第２外側面部２３２との境界にあり、第１外側面部２３１の下端部の仮想延長線上に形成されている。
【００２８】
オーバーフロー側面部３３３は、リブ部３３２の下部に配置されて下方に延びる。図４に示すように、オーバーフロー側面部３３３は、第２外側面部２３２から奥側へ膨出し、リブ部３３２から下方に向かって所定高さを有する。オーバーフロー側面部３３３は、背面から見て略長方形に形成されており、オーバーフロー側面部３３３の上端から下端までは、オーバーフロー口３１の幅よりも大きく、一定の幅で延びる。オーバーフロー側面部３３３の内部は中空であり、オーバーフロー口３１から溢れ出た水を受ける広い空間を形成している。オーバーフロー側面部３３３の幅は、ボウル部２の長手方向の長さの４／１〜３／１程度である。
【００２９】
図６は、オーバーフローカバー接続部３４を示す図であり（ａ）図は、上面図、（ｂ）図は側面図である。オーバーフローカバー接続部３４は、オーバーフローカバー部３３とオーバーフロー排水管３２とを接続するソケットである。オーバーフローカバー接続部３４は、上部接続部３４１と、下部接続部３４２とを有する。オーバーフローカバー接続部３４は、オーバーフローカバー部３３のオーバーフロー側面部３３３の下端部に接続され、カウンター１００の上部からは視認されない。
【００３０】
上部接続部３４１は、図５及び図６（ａ）に示すように、その断面が、オーバーフロー側面部３３３の下端部に挿入できるようにオーバーフロー側面部３３３の断面より一回り小さい略長方形の形状をしている。上部接続部３４１は、上部接続部３４１の周縁の内側に、周縁に沿って突出する凸部３４１ａを有し、この凸部３４１ａがオーバーフロー側面部３３３の下端部の内側に嵌合する。図６（ｂ）に示すように、上部接続部３４１は下方に向かうにしたがって窄まっている。
【００３１】
下部接続部３４２は、上部接続部３４１の下端から連続する管状の取付口であり、オーバーフロー排水管３２に挿入される。
【００３２】
オーバーフロー排水管３２は、一端がオーバーフローカバー部３３を介してオーバーフロー口３１に接続され、他端がボウル部２の排水管接続部２４に接続される。オーバーフロー排水管３２は、オーバーフロー口３１から排水管２５に繋がる排水路の一部を形成する。
【００３３】
オーバーフロー排水路は、オーバーフロー口３１から始まり、オーバーフローカバー部３３及びオーバーフローカバー接続部３４内の中空部分から、オーバーフロー排水管３２へと連続する。オーバーフロー排水路は、オーバーフロー排水管３２がボウル部２の底面の排水口２１から延びる排水管接続部２４に接続されることで、ボウル部２の排水路に合流する。
【００３４】
このオーバーフロー排水路は、ボウル部２の上方ではオーバーフローカバー部３３により覆われている。オーバーフロー口３１は略長方形に形成され、オーバーフロー上面部３３１からオーバーフロー側面部３３３の下端までは幅が大きく縮小せずに、オーバーフローカバー部３３により排水路を形成しているので、排水量が大きく、例えば１分間に１０リットル以上の水を排水可能になっている。
【００３５】
ボウル部２及びオーバーフロー部３を有する洗面器１は、樹脂製であり、プレス成形により一体成形される。ボウル部２のオーバーフロー口３１は、プレス成形時に孔が同時に形成されるように一体成形してもよいし、後でボウル部２に孔を開けて形成してもよい。
【００３６】
図７は、本実施形態の洗面器１の使用の状態を示している。
洗面器１は、リブ部３３２の下にカウンター１００が配置され、リブ部３３２よりも上側がカウンター１００より突出するようにいわゆるベッセル型に配置されている。すなわち、リブ部３３２がカウンター１００の上に載り、洗面器１とカウンター１００との境界を画している。
より詳細には、リブ部３２２は、ボウル部２の底面に配置された排水口２１よりも高い位置に配置されたハーフベッセル型に配置されている。
【００３７】
図７に示すように、洗面器１の前に使用者が立つとき、洗面器１がカウンター１００の上に突出するように配置されていても、オーバーフローカバー部３３は使用者から視認されにくいように下り傾斜しており、オーバーフロー部３の排水構造が目立たないようになっている。
【００３８】
本実施形態の洗面器１によれば、以下のような作用効果を奏する。
（１）  洗面器１を、ボウル部２と、ボウル部２の底面に形成された排水口２１と、ボウル部２の奥面に形成されたオーバーフロー口３１と、一端側がオーバーフロー口３１に接続され下方に延びるオーバーフロー排水路と、ボウル部２の奥面から奥側に突出して形成され、オーバーフロー排水路を覆うオーバーフローカバー部３３と、を含んで構成した。また、オーバーフローカバー部３３を、洗面器１の使用者がボウル部２の手前側に立った場合に該使用者から視認しにくいように下り傾斜したオーバーフロー上面部３３１を含んで構成した。
これにより、オーバーフロー口３１の奥側で、オーバーフロー口３１から水を排水するオーバーフロー排水路をオーバーフローカバー部３３が覆うため、配管の接続部等の構造部が視認されず、外観がすっきりとして意匠性が向上する。また、ネジ等の機械的に細かな構造物が露出しないため、埃やゴミなどが溜まらずに衛生的である。また、オーバーフローカバー部３３が、使用者がボウル部２の手前側に立った場合に視認しにくいように下り傾斜しているので、例えば洗面器１をカウンター１００の上に載せて設置した場合にも、オーバーフロー排水管３２等が視認されず、意匠性が向上する。
【００３９】
（２）  オーバーフロー上面部３３１を、水平面に対して４５度以上の角度で傾斜させた。これにより、使用者がボウル部２の手前側に立った場合に確実に視認しにくくなる。よって、上記と同様の効果をより確実に奏することができる。
【００４０】
（３）  前記オーバーフローカバー部３３を、オーバーフロー上面部３３１の下端部に配置され、該下端部から水平方向に延出するリブ部３３２と、リブ部３３２の下部に配置されて下方に延びるオーバーフロー側面部３３３と、を含んで構成した。これにより、リブ部３３２が水平方向に延出するため、リブ部３３２より下方の構造が洗面器１の上部より視認しづらくなり、意匠性が向上する。また、オーバーフロー側面部３３３がリブ部３３２の下部に延びるように構成することで、オーバーフローカバー部３３が覆っている排水路の流路を太くすることができる。
【００４１】
（４）  リブ部３３２の下面にカウンター１００を配置し、リブ部３３２よりも上側がカウンター１００から突出するベッセル式洗面器として用いた。これにより、リブ部３３２が洗面器１とカウンター１００の境界が明確になるとともにリブ部３３２がカウンターに載ることで洗面器１がカウンター１００に設けた洗面器１設置用の孔から落ちにくくなり、取り付けが容易になる。
【００４２】
（５）  リブ部３３２を、ボウル部２の底面よりも高い位置に位置させた。これにより、リブ部３３２の高さを低く抑えることができ、ボウル部２の深さを深くすることができる。このように、ボウル部２の外側面部が部分的にカウンター１００から突出するようなハーフベッセル式の洗面器１においても、上記と同様の効果を奏する。
【００４３】
（６）  オーバーフロー排水路を、１分間に１０リットル以上の水を排水可能に構成した。これにより、十分な排水量を確保できるため、洗面器１の外側に水が溢れる等の懸念が減少し、オーバーフロー部３の機能が向上する。また、十分な排水量を確保できるので、例えばボウル部２を浅い皿型のような形状に設計にすることができ、意匠性が向上するとともに洗面器１を設置可能な場所が増える。
【００４４】
（７）  洗面器１を、プレス成形により一体成形した。これにより、ボウル部２とオーバーフロー部３とが一体に成形されており、オーバーフローカバー部３３のオーバーフロー側面部３３３の下端部に、オーバーフローカバー接続部３４等を介してオーバーフロー排水管３２を接続することができる。よって、オーバーフロー排水管３２の取付が容易になる。さらに、オーバーフロー排水管３２の接続や取り付けがオーバーフロー部３の下方でできるので、洗面器１をカウンター１００の上に設置するような置き方でも配管の構造部が外部から視認されない。
【００４５】
以上、本発明の好ましい各実施形態について説明したが、本発明は、上述した各実施形態に制限されるものではなく、適宜変更が可能である。
例えば、上記実施形態ではオーバーフロー口３１やオーバーフローカバー部３３を洗面器１の長手方向に沿う横長の形状に形成したが、これに限られない。オーバーフロー口３１やオーバーフローカバー部３３の形状は円形等、デザインに応じて適宜変更することができる。
【００４６】
また、上記実施形態では、ボウル部２をカウンター１００の上に突出するように設置するハーフベッセル式の洗面器１について説明したが、これに限られない。ボウル部２を、底面がカウンターの上に位置するようなベッセル式に設置してもよいし、ボウル部２の大部分がカウンターのカウンター面より下に納まるように設置してもよい。
【符号の説明】
【００４７】
１    洗面器
２    ボウル部
２１  排水口
３１  オーバーフロー口
３２  オーバーフロー排水管（オーバーフロー排水路）
３３  オーバーフローカバー部
１００  カウンター
３３１  オーバーフロー上面部
３３２  リブ部
３３３  オーバーフロー側面部
【図１】
2019052422.tif 000003
【図２】
2019052422.tif 000004
【図３】
2019052422.tif 000005
【図４】
2019052422.tif 000006
【図５】
2019052422.tif 000007
【図６】
2019052422.tif 000008
【図７】
2019052422.tif 000009
【手続補正書】
【提出日】平成30年9月18日(2018.9.18)
【手続補正１】
【補正対象書類名】特許請求の範囲
【補正対象項目名】全文
【補正方法】変更
【補正の内容】
【特許請求の範囲】
【請求項１】
ボウル部と、
ボウル部の底面に形成された排水口と、
ボウル部の奥面に形成されたオーバーフロー口と、
一端側がオーバーフロー口に接続され下方に延びるオーバーフロー排水路と、
前記ボウル部の奥面から奥側に突出して形成され、前記オーバーフロー排水路を覆うオーバーフローカバー部と、を備える洗面器であって、
前記オーバーフローカバー部は、洗面器の使用者が前記ボウル部の手前側に立った場合に該使用者から視認しにくいように下り傾斜したオーバーフロー上面部を有する洗面器。
【請求項２】
前記オーバーフロー上面部は、水平面に対して４５度以上の角度で傾斜する請求項１に記載の洗面器。
【請求項３】
前記オーバーフローカバー部は、
前記オーバーフロー上面部の下端部に配置され、該下端部から水平方向に延出するリブ部と、
前記リブ部の下部に配置されて下方に延びるオーバーフロー側面部と、を備える請求項１又は２に記載の洗面器。
【請求項４】
前記リブ部の下面にカウンターが配置され、該リブ部よりも上側がカウンターから突出するベッセル式洗面器として用いられる請求項３に記載の洗面器。
【請求項５】
前記リブ部は、前記ボウル部の底面よりも高い位置に位置する請求項４に記載の洗面器。
【請求項６】
前記オーバーフロー排水路は、１分間に１０リットル以上の水を排水可能である請求項１〜５のいずれかに記載の洗面器。